(57)【要約】【課題】映像・音声コンテンツの制作において、これらコンテンツに関連したメタデータの付与するに際し、付与する際の労力を低減することを目的とする。【解決手段】音声入力手段と、音声認識手段と、メタデータ制作手段とを具備し、上記コンテンツに関連した情報を上記音声入力手段により入力し、上記入力された音声信号を上記音声認識手段にて認識し、上記メタデータ制作手段によりメタデータに変換することにより、自動的にメタデータ、タグとコンテンツとの時間あるいはシーンとの関連付けを行う。【選択図】　図１
2004086124.tif 000002
【特許請求の範囲】
【請求項１】
コンテンツに関連するメタデータの制作装置であって、
音声入力手段と、音声認識手段と、メタデータ制作手段とを具備し、
上記コンテンツに関連した情報を上記音声入力手段により入力し、上記入力された音声信号を上記音声認識手段にて認識し、認識したデータを上記メタデータ制作手段によりメタデータに変換することを特徴とするメタデータ制作装置。
【請求項２】
コンテンツに関連するメタデータの制作装置であって、
音声入力手段と、音声認識手段と、キーボードを含むコンピュータ手段と、メタデータ制作手段とを具備し、上記コンテンツに関連した情報を上記音声入力手段により入力し、上記入力された音声信号を上記音声認識手段にて認識し、認識したデータを上記メタデータ制作手段によりメタデータに変換するとともに、上記認識されたデータが誤認識と判断された場合には、上記キーボードを含むコンピュータ手段により修正されることを特徴とするメタデータ制作装置。
【請求項３】
コンテンツに関連するメタデータの制作装置であって、
音声入力手段と音声認識手段とメタデータ制作手段と上記コンテンツに関連した辞書とを具備し、上記コンテンツに関連した情報を上記音声入力手段により入力し、上記入力された音声信号を上記音声認識手段にて上記コンテンツに関連した辞書に関連付けて認識し、認識したデータを上記メタデータ制作手段によりメタデータに変換することを特徴とするメタデータ制作装置。
【請求項４】
コンテンツに関連するメタデータの制作装置であって、
音声入力手段と音声認識手段とメタデータ制作手段と上記コンテンツに関連した辞書とを具備し、上記コンテンツに関連した情報を上記音声入力手段により入力し、上記入力された音声信号を上記音声認識手段にて上記コンテンツに関連した辞書に関連付けて単語単位で認識し、認識したデータを上記メタデータ制作手段によりメタデータに変換することを特徴とするメタデータ制作装置。
【請求項５】
コンテンツに関連するメタデータの制作装置であって、
音声入力手段と音声認識手段とキーボードを含むコンピュータ手段とメタデータ制作手段と上記コンテンツに関連した辞書とを具備し、上記コンテンツに関連した情報を上記音声入力手段により入力し、上記入力された音声信号を上記音声認識手段にて上記コンテンツに関連した辞書に関連付けて単語単位で認識し、認識したデータを上記メタデータ制作手段によりメタデータに変換するとともに、上記認識されたデータが誤認識と判断された場合には、上記キーボードを含むコンピュータ手段により修正されることを特徴とするメタデータ制作装置。
【請求項６】
上記コンテンツに付与されているタイムコード情報と上記メタデータとを入力し、タイムコード付メタデータを生成するタイムコード付与手段を備え、上記コンテンツと生成された上記メタデータとを関連付けることを特徴とする請求項１，２，３，４または５のいずれかに記載のメタデータ制作装置。
【請求項７】
上記コンテンツに付与されているコンテンツの番地あるいは番号あるいはフレームナンバと上記メタデータとを入力し、コンテンツの番地あるいは番号あるいはフレームナンバ付メタデータを生成するコンテンツの番地あるいは番号あるいはフレームナンバ付与手段を備え、上記コンテンツと生成された上記メタデータとを関連付けることを特徴とする請求項１，２，３，４，５または６のいずれかに記載のメタデータ制作装置。
【請求項８】
上記コンテンツに関連した情報を上記音声入力手段により入力するにあたり、コンテンツをモニタする映像モニタ手段および音声モニタ手段のいずれかあるいは両方を確認しながら入力することを特徴とする請求項１，２，３，４，５，６あるいは７のいずれかに記載のメタデータ制作装置。
【請求項９】
上記コンテンツに関連した情報を上記音声入力手段により入力するにあたり、コンテンツをモニタする映像モニタ手段および音声モニタ手段のいずれかあるいは両方を確認し、かつ、コンテンツのシナリオまたはナレーション原稿を参照しながら入力することを特徴とする請求項１，２，３，４，５，６，７あるいは８のいずれかに記載のメタデータ制作装置。
【請求項１０】
コンテンツに関連するメタデータの制作方法であって、
音声入力手段と、音声認識手段と、メタデータ制作手段とを用いて、上記コンテンツに関連した情報を上記音声入力手段により入力し、上記入力された音声信号を上記音声認識手段にて認識し、上記メタデータ制作手段によりメタデータに変換することを特徴とするメタデータ制作方法。
【請求項１１】
コンテンツに関連するメタデータの制作方法であって、
音声入力手段と音声認識手段とメタデータ制作手段と上記コンテンツに関連した辞書とを用いて、上記コンテンツに関連した情報を上記音声入力手段により入力し、上記入力された音声信号を上記音声認識手段にて上記コンテンツに関連した辞書に関連付けて認識し、上記メタデータ制作手段によりメタデータに変換することを特徴とするメタデータ制作方法。
【請求項１２】
上記コンテンツに付与されているタイムコード情報と上記メタデータとを入力し、タイムコード付メタデータを生成するタイムコード付与手段を用いて、上記コンテンツと生成された上記メタデータとを関連付けることを特徴とする請求項１または２のいずれかに記載のメタデータ制作方法。
【発明の詳細な説明】
【０００１】
【発明の属する技術分野】
本発明は、コンテンツ制作におけるメタデータ制作システム及び方法に関するものである。
【０００２】
【従来技術】
近年、映像・音声コンテンツの制作において、これらコンテンツに関連したメタデータの付与することがおこなわれている。
【０００３】
しかしながら、上記メタデータの付与は、制作された映像・音声コンテンツのシナリオあるいはナレーション原稿をもとに、制作された映像・音声コンテンツを再生しながらメタデータとすべき情報を確認し、手作業でコンピュータ入力することにより制作する方法が一般的であり、相当な労力の必要な方法であった。
【０００４】
【特許文献１】
特開平０９−１３０７３６号公報
【０００５】
【発明が解決しようとする課題】
本願発明は、上記従来の問題点に係る課題を解決することを目的とするものであって、制作された映像・音声コンテンツを再生することによりメタデータとすべき情報を確認し、音声入力でコンピュータに入力することにより制作するシステム及び方法を提供することを目的とする。
【０００６】
【課題を解決するための手段】
上記課題を解決するために本願発明は、制作されたコンテンツの再生手段、上記再生手段で再生された映像信号を表示する映像モニタ手段、上記再生手段で再生された音声信号をモニタする音声モニタ手段、上記映像モニタ手段および上記音声モニタ手段でオペレータが確認した制作すべきメタデータ内容をオペレータの発声によりマイクで収録する音声入力手段、上記音声入力手段により入力された音声信号を認識する音声認識手段、音声認識手段で認識された音声情報をメタデータに変換することによりメタデータを生成するメタデータ生成手段、および上記コンテンツと上記メタデータとを関連づけるため、上記コンテンツに付与されているタイムコード情報と上記メタデータとを入力しタイムコード付メタデータとするタイムコード付与手段とを備えたものである。
【０００７】
これにより、従来キーボードで入力し、制作していたメタデータを、音声認識を用いて音声入力し、自動的にタイムコード付きのメタデータを制作することが可能となる。
【０００８】
【発明の実施の形態】
本発明の請求項１に係る発明は、コンテンツに関連するメタデータの制作装置であって、音声入力手段と、音声認識手段と、メタデータ制作手段とを具備し、上記コンテンツに関連した情報を上記音声入力手段により入力し、上記入力された音声信号を上記音声認識手段にて認識し、認識したデータを上記メタデータ制作手段によりメタデータに変換することを特徴とするメタデータ制作装置である。
【０００９】
本発明の請求項２に係る発明は、コンテンツに関連するメタデータの制作装置であって、音声入力手段と音声認識手段とメタデータ制作手段と上記コンテンツに関連した辞書とを具備し、上記コンテンツに関連した情報を上記音声入力手段により入力し、上記入力された音声信号を上記音声認識手段にて上記コンテンツに関連した辞書に関連付けて認識し、認識したデータを上記メタデータ制作手段によりメタデータに変換することを特徴とするメタデータ制作装置である。
【００１０】
本発明の請求項３に係る発明は、上記請求項１ないし上記請求項２に係る発明のメタデータ制作装置であって、上記コンテンツに付与されているタイムコード情報と上記メタデータとを入力し、タイムコード付メタデータを生成するタイムコード付与手段を備え、上記コンテンツと生成された上記メタデータとを関連付けることを特徴とする請求項１または２のいずれかに記載のメタデータ制作装置である。
【００１１】
以下、本発明の実施の形態について図面を用いて説明する。
【００１２】
（実施の形態１）
図１は、本発明の実施の形態１によるメタデータ制作装置の構成を示すブロック図である。図１において、１はコンテンツ再生手段、２は映像モニタ手段、３は音声モニタ手段、４はマイク、５は音声認識手段、６はメタデータ生成手段、７はタイムコード付与手段、８は辞書である。
コンテンツ再生手段１は、たとえばＶＴＲ（あるいはハードディスクで構成された映像・音声信号再生装置、あるいは半導体メモリなどのメモリ手段を記録媒体とする映像・音声信号再生装置、あるいは光学記録式または磁気記録式などの回転型ディスクで構成された映像・音声信号再生装置、さらには伝送されてきたあるいは放送されてきた映像・音声信号を再生する映像・音声再生装置などのコンテンツ再生手段）である。上記コンテンツ再生手段１は、映像信号出力端子１０１、音声信号出力端子１０２およびタイムコード出力端子１０３を具備し、再生された映像信号は端子１０１および２０１を介して、映像モニタ手段２に供給され、再生された音声信号は端子１０２および３０２を介して、音声モニタ３に供給され、再生されたタイムコードは端子１０３および７０３を介してタイムコード付与手段７に供給される。メタデータを制作する制作者（図示せず）は、映像モニタ手段２と音声モニタ手段３のいずれかあるいは両方を確認しながら、場合によればシナリオまたはナレーション原稿なども参照しながら、入力すべきメタデータを発声する。マイク４は、上記制作者の発声を受付、音声信号に変換して、音声認識手段５に供給する。また、必要に応じて、音声認識用の辞書８も、音声認識手段５に供給される。音声認識手段５で認識された、音声データはメタデータ生成手段６に供給され、メタデータあるいはタグに変換される。此のようにして、生成されたメタデータあるいはタグは、コンテンツ自身の内容と時間関係あるいはシーンとの関係を略略一致させるため、タイムコード付与手段７にて、コンテンツ再生手段１から供給されたタイムコード情報が付与される。
【００１３】
より具体的に説明するため料理説明をする場面を一例として想定する。この場合オペレータが、映像モニタ手段２の表示画面を確認しながらマイク４を通じて”塩　１さじ”と発生すると、音声認識手段５にて、辞書８を参照しながら、　”塩”、”１さじ”と認識されメタデータ生成手段６にて各々”塩”、”１さじ”というタグに変換される。なお、音声認識としては、上記音声認識手段５に限定されず、一般的に用いられている種々の手段を用いて音声認識し”しお”、”ひとさじ”とのデータを認識してもよい。
なお、一般には、メタデータとは、このようなタグの集合体を意味するものである。タイムコード付与手段７０３では、コンテンツ再生手段１０３からの信号をもとに、タイムコードが付与されたタイムコード付与メタデータが生成される。具体的には、図２に示すようなパケットデータが生成される。生成されたメタデータは、そのまま出力されても良く、またハードディスク等の記録媒体に蓄積しても良い。また、上記の実施例においては、パケット形式のメタデータを生成するとして説明したが、特に限定されるものではない。
【００１４】
さらに上述した実施例では、コンテンツとしてタイムコードの付与されている動画コンテンツの場合について説明したが、静止画コンテンツあるいは、デジタルデータコンテンツなどの場合には、上記静止画コンテンツあるいはデジタルデータコンテンツを識別するために、動画の場合のタイムコードに相当するコンテンツの番地あるいは番号を用いて上記コンテンツと生成された上記メタデータを関連づけてもよい。
【００１５】
なお、一般的には、音声認識には何らかの誤認識が生じる可能性がある。誤認識が生じた場合、制作されたメタデータ、タグをコンピュータ手段などの情報処理手段を用いて修正することは可能である。
【００１６】
【発明の効果】
以上説明したように発明は、コンテンツに関連したメタデータの作成あるいはタグ付けを行うに当たり、音声入力による音声認識を用い、且つ、上記メタデータあるいはタグとコンテンツとの時間あるいはシーンとの関連付けを行うため、従来のようなキーボード入力より、効率的に、メタデータの作成やタグ付けを実施することができる。
【図面の簡単な説明】
【図１】本発明の実施の形態１に係るメタデータ制作装置の構成を示すブロック図
【図２】本発明の実施形態１に係るタイムコード付きメタデータの一例を示す図
【符号の説明】
１　コンテンツ再生手段
２　映像モニタ手段
３　音声モニタ手段
４　マイク
５　音声認識手段
６　メタデータ生成手段
７　タイムコード付与手段
８　辞書
１０１　映像出力端子
１０２　音声出力端子
１０３　タイムコード出力端子
２０１　映像入力端子
３０２　音声入力端子
７０３　タイムコード入力端子
【図１】
2004086124.tif 000003
【図２】
2004086124.tif 000004